(57)【要約】      （修正有）【課題】揮発性の薬剤の拡散を効率的に行うことができる扇風機の提供。【解決手段】扇風機１０の回転翼１２によって前方に導出される空気流を、薬剤ケース１６の台座２０に設けられた空気流入口２０ａから薬剤ケース１６内へと導き、ドーム状薬剤装着部２２に装着された薬剤１８に空気流を当てる。さらに、ドーム状薬剤装着部２２に形成された空気流出口２２ａから、揮発した薬剤を送り出し、回転翼１２から導出される空気流に、揮発した薬剤を乗せて拡散させる。【選択図】図２
0003109610.tif 000002
【実用新案登録請求の範囲】
【請求項１】
回転翼の前後および周囲を覆うカバーの、空気導入部または空気導出部の少なくとも一方に、揮発性の薬剤を格納する薬剤ケースが設けられていることを特徴とする扇風機。
【請求項２】
前記薬剤ケースは、回転翼の前方カバーの中央部に対し直接的に取付けられる空気流入口付の台座と、該台座に対し着脱自在な、空気流出口が形成されたドーム状薬剤装填部とからなることを特徴とする請求項１記載の扇風機。
【請求項３】
前記薬剤ケースは、空気流入口付の台座と、該台座に対し着脱自在な、空気流出口が形成されたドーム状薬剤装填部とからなり、前記台座が回転翼の前方カバーの中央部に回転自在に取付けられたステーによって、回転翼から導出される空気流が効率的に当る位置に支持されていることを特徴とする請求項１記載の扇風機。
【請求項４】
前記回転翼の前方カバーは周端部に対し中央部が突出したドーム状をなし、前記ステーは当該回転翼の前方カバーに倣って湾曲していることを特徴とする請求項３記載の扇風機。
【請求項５】
前記薬剤ケースに装填される揮発性の薬剤は、防虫剤であることを特徴とする請求項１から４のいずれか１項記載の扇風機。
【請求項６】
前記薬剤ケースに装填される揮発性の薬剤は、マイナスイオン剤であることを特徴とする請求項１から４のいずれか１項記載の扇風機。
【請求項７】
前記薬剤ケースに装填される揮発性の薬剤は、香料剤であることを特徴とする請求項１から４のいずれか１項記載の扇風機。
【請求項８】
回転翼を駆動するモータが内蔵された本体部を支える支柱の下端部に、筒状の雌連結部が設けられ、筒状または棒状の雄連結部が設けられたクリップと台座とが具備され、該クリップと台座とが前記雌連結部に対し選択的に着脱自在となっており、かつ、前記雌連結部と前記雄連結部との連結状態を維持する係合爪と、該係合爪の解除ボタンとが前記雌連結部に設けられていることを特徴とする請求項１から７のいずれか１項記載の扇風機。
【請求項９】
前記雌連結部は円筒状をなすと共に、外壁側から内壁側へと窪み軸方向に延びる溝部が形成され、該溝部には、一端部に前記係合爪を他端部に前記解除ボタンを中間部に回転軸を備える操作部材が軸着され、なおかつ、前記係合爪が前記溝部に形成された開口から雌連結部内に挿入され前記解除ボタンが前記溝部の外側へと突出するように、前記操作部材を付勢するスプリングが、前記溝部底面と解除ボタンとの間に装填され、前記解除ボタンの突出口を備える溝カバーによって、前記操作部材が前記溝部内に封入されており、
前記雄連結部は、円筒状もしくは円柱状をなすと共に、前記雌連結部の溝部が嵌合するための軸方向に延びる溝部が形成されており、該溝部に、前記係合爪が係合するための係合穴または窪みが設けられていることを特徴とする請求項８記載の扇風機。
【考案の詳細な説明】
【技術分野】
【０００１】
本考案は、薬剤の散布が可能な扇風機に関するものである。
【背景技術】
【０００２】
防虫剤等の揮発性の薬剤は、薬剤を内蔵する容器の開口から容器外部へと発散し、周囲に自然に拡散されるものが最も一般的である。
【考案の開示】
【考案が解決しようとする課題】
【０００３】
本考案は、揮発性の薬剤の拡散をより効率的に行うことを目的とするものである。そのために扇風機を用い、かつ、この扇風機の設置場所を選ぶことなく、様々な場所に自在に設置することを可能とすることによって、薬剤の拡散に最適の場所に扇風機を設置し、薬剤の拡散効率をさらに高めることにある。
【課題を解決するための手段】
【０００４】
上記課題を解決するための、本考案に係る扇風機は、回転翼の前後および周囲を覆うカバーの、空気導入部または空気導出部の少なくとも一方に、揮発性の薬剤を格納する薬剤ケースが設けられていることを特徴とするものである。
本考案によれば、扇風機の回転翼によって作り出される空気流が、空気導入部または空気導出部の少なくとも一方に取付けられた薬剤ケース内の薬剤の揮発を促し、かつ、空気流によって薬剤が効率的に周囲へと拡散されることとなる。
【０００５】
また、前記薬剤ケースは、回転翼の前方カバーの中央部に対し直接的に取付けられる空気流入口付の台座と、該台座に対し着脱自在な、空気流出口が形成されたドーム状薬剤装填部とからなることが望ましい。
この構成によれば、回転翼から送り出される空気流を、台座に設けられた空気流入口から薬剤ケース内へと導き、ドーム状薬剤装着部に装着された薬剤に空気流を当てることにより、薬剤の揮発を促す。そして、ドーム状薬剤装着部に形成された空気流出口から揮発した薬剤を送り出し、回転翼から導出される空気流に揮発した薬剤を乗せて、周囲に拡散させることが可能となる。
また、ドーム状薬剤装填部は台座に対し着脱自在であることから、薬剤の交換も容易となる。
【０００６】
また、前記薬剤ケースは、空気流入口付の台座と、該台座に対し着脱自在な、空気流出口が形成されたドーム状薬剤装填部とからなり、前記台座が回転翼の前方カバーの中央部に回転自在に取付けられたステーによって、回転翼から導出される空気流が効率的に当る位置に支持されていることとしてもよい。この構成によれば、薬剤ケース内の薬剤の揮発と、揮発した薬剤の拡散とを、より一層効率的に行うことが可能となる。また、必要に応じ、薬剤ケースの位置を回転翼の前方カバーの中央部を基点として自由に回転させ、変更させることが可能となる。
さらに、前記回転翼の前方カバーは周端部に対し中央部が突出したドーム状をなし、前記ステーは当該回転翼の前方カバーに倣って湾曲していることとすれば、回転翼の前方カバーがドーム状をなしている場合においても、前記ステーに支持れた薬剤ケースと回転翼との距離が離間することを防ぎ、薬剤ケース内の薬剤の揮発と、揮発した薬剤の拡散とを、効率的に行うことが可能となる。
なお、前記薬剤ケースに装填される揮発性の薬剤としては、防虫剤、マイナスイオン剤、香料剤等が挙げられる。
【０００７】
また、本考案においては、回転翼を駆動するモータが内蔵された本体部を支える支柱の下端部に、筒状の雌連結部が設けられ、筒状または棒状の雄連結部が設けられたクリップと台座とが具備され、該クリップと台座とが前記雌連結部に対し選択的に着脱自在となっており、かつ、前記雌連結部と前記雄連結部との連結状態を維持する係合爪と、該係合爪の解除ボタンとが前記雌連結部に設けられていることが望ましい。
この構成によれば、扇風機の設置場所に応じ、クリップと台座とのいずれか適した方で扇風機の本体部を支持することが可能となる。そして、薬剤を拡散させるに最も適した場所に当該扇風機を設置することが可能となる。
【０００８】
また、前記雌連結部は円筒状をなすと共に、外壁側から内壁側へと窪み軸方向に延びる溝部が形成され、該溝部には、一端部に前記係合爪を他端部に前記解除ボタンを中間部に回転軸を備える操作部材が軸着され、なおかつ、前記係合爪が前記溝部に形成された開口から雌連結部内に挿入され前記解除ボタンが前記溝部の外側へと突出するように、前記操作部材を付勢するスプリングが、前記溝部底面と解除ボタンとの間に装填され、前記解除ボタンの突出口を備える溝カバーによって、前記操作部材が前記溝部内に封入されており、前記雄連結部は、円筒状もしくは円柱状をなすと共に、前記雌連結部の溝部が嵌合するための軸方向に延びる溝部が形成されており、該溝部に、前記解除ボタンの係合爪が係合するための係合穴または窪みが設けられていることとしてもよい。
この構成により、扇風機の本体部に対するクリップと台座との交換が容易となる。
【考案の効果】
【０００９】
本考案はこのように構成したので、揮発性の薬剤の拡散を効率的に行う扇風機を提供することが可能となる。また、この扇風機の設置場所を選ぶことなく、自在に設置することが可能となるので、薬剤の拡散に最も適した場所に扇風機を設置し、薬剤の拡散効率をさらに高めることが可能となる。
【考案を実施するための最良の形態】
【００１０】
以下、本考案を実施するための最良の形態を添付図面に基づいて説明する。
図１には、本考案の実施の形態に係る扇風機１０を示している。この扇風機１０は図２に一部分解図として示すように、回転翼１２の前方および周囲を覆う前方カバー１４の中央部に薬剤ケース１６を設け、この薬剤ケース１６に、揮発性の防虫剤カートリッジ１８を装填可能としたものである。薬剤ケース１６は、ねじや係合爪を用い、または、接着、溶着などの手法によって、前方カバー１４の中央部に対し直接的に取付けられる空気流入口２０ａ付の台座２０と、台座２０に対し、係合爪等によって着脱自在な、空気流出口２２ａが形成されたドーム状薬剤装填部２２とからなるものである。図示の例では、台座２０の空気流入口２０ａは、渦巻き状の複数の溝として形成されているが、例えば、格子状や放射状の穴等、薬剤ケース１６内への空気の流入が円滑に行われる他の形状を採用することも可能である。また、ドーム状薬剤装填部２２は半球状をなしているが、防虫剤カートリッジ１８が格納可能である限り、円筒状、円錐状、多角筒状としてもよく、空気流出口２０ａも、薬剤ケース１６の外への空気の流出が円滑に行われるものであれば、図示のごとく同心円状に並んだ複数の円形開口に限らず、渦巻き状、放射状の穴としても良い。
【００１１】
また、薬剤ケースを環状に形成して、前方カバー１４の前方周辺部に対し着脱自在に設けることとしてもよく、さらに、回転翼１２を駆動するモータが内蔵された本体部２４を避けて、後方カバー２６に対し着脱自在に設けることとしても良い。何れの場合であっても、薬剤ケース１６は、回転翼の前後および周囲を覆う前方カバー１４および後方カバー２６の、格子状または網状の空気導入部２６ａまたは空気導出部１４ａの一方または双方に着脱自在に設けることが望ましい。また、薬剤ケース１６に装填される薬剤は、揮発性の薬剤であれば、防虫剤に限らず、例えば、マイナスイオン剤や香料剤としても良く、前方カバー１４、後方カバー２６の双方に薬剤ケースを取り付け、各ケースに異なる種類の薬剤を装填することとしても良い。
【００１２】
また、図３に示すように、本体部２４（図２）を支える支柱２８の下端部には、筒状（図示の例では円筒状であるが、四角形、六角形等の断面形状であっても良い。）の雌連結部３０が設けられ、雌連結部３０に対し選択的に着脱自在な、筒状または棒状（図示の例では円筒状であるが、四角形、六角形等の断面形状であっても良い。）の雄連結部３２が設けられた、クリップ３４と台座３６とを具備している。雌連結部３０には、外壁側から内壁側へと窪み軸方向に延びる溝部３０ａが形成され、溝部３０ａには、操作部材４４が軸着されている。操作部材４４は、一端部に雌連結部３０と雄連結部３２との連結状態を維持するための係合爪３８を、他端部に係合爪３８の解除ボタン４０を、中間部に回転軸４２を備えるものである。そして、係合爪３８が溝部３０ａに形成された開口３０ｂ（切欠きでもよい）から雌連結部３０内に挿入され、解除ボタン４０が溝部３０ａの外側へと突出するように、操作部材４４を付勢するスプリング４６が、溝部３０ａの底面と解除ボタン４０との間に装填されている。加えて、解除ボタン４０の突出口４８ａを備える溝カバー４８によって、操作部材４０が溝部３０ａ内に封入されている。
一方、クリップ３４および台座３６の雄連結部３２には、雌連結部３０の溝部３０ａが嵌合するための、軸方向に延びる溝部３２ａが形成されており、この溝部３２ａに、係合爪３８が係合するための係合穴３２ｂ（窪みであってもよい）が設けられている。
【００１３】
上記構成をなす、本考案の実施の形態によれば、次のような作用効果を得ることが可能となる。まず、扇風機１０の回転翼１２によって作り出される空気流が、回転翼１２の前後および周囲を覆うカバー１４、２６の、空気導入部２６ａまたは空気導出部１４ａの少なくとも一方に取付けられた薬剤ケース１６内の、防虫剤カートリッジ１８の薬剤の揮発を促し、かつ、空気流によって薬剤が効率的に周囲へと拡散されることとなる。
具体的には、回転翼１２によって前方に導出される空気流を、薬剤ケース１６の台座２０に設けられた空気流入口２０ａから薬剤ケース１６内へと導き、ドーム状薬剤装着部２２に装着された防虫剤カートリッジ１８に空気流を当てることにより、薬剤の揮発を促すことができる。そして、ドーム状薬剤装着部２２に形成された空気流出口２２ａから、揮発した薬剤を送り出し、回転翼１２から導出される空気流に、揮発した薬剤を乗せて拡散させることが可能となる。したがって、防虫剤カートリッジ１８内の、揮発性の薬剤の拡散を効率的に行うことが可能となる。
なお、ドーム状薬剤装填部２２は台座２０に対し着脱自在であることから、防虫剤カートリッジ１８の交換も容易となる。また、薬剤ケース１６を回転翼１２の前方カバー１４の中央部に対し取付けることで、薬剤ケース１６が未装着の扇風機１０に対し、扇風機１０全体としての外観的印象を大きく変えることが可能となる。また、台座２０およびドーム状薬剤装填部２２の形状に様々なバリエーションを持たせることで、扇風機１０全体としてのバリエーションも増加させることができる。
【００１４】
また、回転翼１２を駆動するモータが内蔵された本体部２４を支える支柱２８を備え、支柱２８の下端部に筒状の雌連結部３０が設けられ、筒状または棒状の雄連結部３２が設けられたクリップ３４と台座３６とが具備されている。そして、クリップ３４と台座３６とが、雌連結部３０に対し選択的に着脱自在となっている。そして、雌連結部３０と雄連結部３２との連結状態を維持する係合爪３８と、係合爪３８の解除ボタン４０とが雌連結部３０に設けられており、いわゆるプッシュスイッチ式のクリップ３４および台座３６の着脱機構を構成している。
【００１５】
そして、雌連結部３０の溝部３０ａに取付けられた溝カバー４８の、突出口４８ａから突出する解除ボタン４０を押し込むことにより、操作部材４４は回転軸４２を中心として回転し、係合爪３８は溝部３０ａに形成された開口３０ｂから引出される。その結果として、係合爪による雌連結部３０と雄連結部３２との係合状態は解除され、扇風機１２の本体部２４に対するクリップ３４と台座３６との交換を、容易に行うことが可能となる。したがって、扇風機１０の設置場所に応じ、クリップ３４と台座３６とのいずれか適した方で、扇風機１０の本体部２４を支持することが可能となり、扇風機１０は、その設置場所を選ぶことなく、様々な場所に自在に設置することが可能となり、薬剤の拡散に最も適した場所に扇風機１０を設置し、薬剤の拡散効率をさらに高めることが可能となる。
一方、解除ボタン４０に対し押込む力を加えない限り、スプリング４６に付勢されて、係合爪３８は溝部３０ａに形成された開口３０ｂから雌連結部３０内に挿入され、雄連結部３２の溝部３２ａに係合爪３８が係合することから、支柱２８に対するクリップ３４および台座３６の連結状態が保証されることとなる。よって、扇風機１０の本体部１２と、クリップ３４または台座３６との連結状態が、不用意に解除されることを防ぐことができる。
【００１６】
さて、図４から図７には、本考案の実施の形態に係る扇風機の応用例を示している。この応用例では、薬剤ケース１６の台座２０を、前方カバー１４の中央部に回転自在に取付けられたステー５０によって支持することにより、薬剤ケース１６を、回転翼１２から導出される空気流が効率的に当る位置に支持したものである。そして、この応用例によれば、薬剤ケース１６内の防虫剤の揮発と、揮発した防虫剤の拡散とを、より一層効率的に行うことが可能となる。また、必要に応じ、薬剤ケース１６の位置を、前方カバー１４の中央部を基点として自由に回転させ、位置変更させることが可能となるので、例えば、個々のユーザーの指向に応じ、好みの位置に薬剤ケース１６を配置して楽しむことも可能となる。
さらに、図示の前方カバー１４は、周端部に対し中央部が突出したドーム状をなしていることから（図１、図２参照）、ステー５０についても、図６に示すように前方カバー１４に倣って湾曲した形状とすることにより、ステー５０に支持された薬剤ケース１６と、前方カバー１４の内部に収容された回転翼１２との距離が離間することを防ぎ、薬剤ケース１６内の防虫剤の揮発と、揮発した防虫剤の拡散とを、効率的に行うことを可能としている。なお、図６に符号５０ａで示す部分は、薬剤ケース１６をねじ止めするためのボスであり、符号５０ｂで示す部分は、ステーを前方カバー１４の中央に形成した穴に対し回転自在に嵌合させた状態で、ねじ止めするためのボスである。
【図面の簡単な説明】
【００１７】
【図１】本考案の実施の形態に係る扇風機の斜視図である。
【図２】図１に示す扇風機の一部分解図である。
【図３】図１に示す扇風機のクリップと台座との交換機構を示す分解図である。
【図４】本考案の実施の形態に係る扇風機の応用例であり、中央部に回転自在にステーを取り付けた状態を示す、前方カバーの正面図である。
【図５】図４に示すステーに薬剤ケースを取り付けた状態を示す、前方カバーの正面図である。
【図６】図４、図５に示すステーの単体図であり、（ａ）は正面を、（ｂ）は側面を、（ｃ）は正面を示すものである。
【図７】図５に示すステーおよび薬剤ケースの裏面図である。
【符号の説明】
【００１８】
１０：扇風機、１２：回転翼、１４：前方カバー、１４ａ：空気導出部、１６：薬剤ケース、１８：防虫剤カートリッジ、２０：台座、２０ａ：空気導入口、２２：ドーム状薬剤装填部、２２ａ：空気流出部、２４：本体部、２６：後方カバー、２６ａ：空気導入部、２８：支柱、３０：雌連結部、３０ａ：溝部、３０ｂ：係合穴、３２：雄連結部、３２ａ：溝部、３２ｂ：係合穴、３４：クリップ、３６：台座、３８：係合爪、４０：解除ボタン、４２：回転軸、４４：操作部材、４６：スプリング、４８：溝カバー：４８ａ：突出口、５０：ステー
【図１】
0003109610.tif 000003
【図２】
0003109610.tif 000004
【図３】
0003109610.tif 000005
【図４】
0003109610.tif 000006
【図５】
0003109610.tif 000007
【図６】
0003109610.tif 000008
【図７】
0003109610.tif 000009